(57)【要約】　　　（修正有）【課題】如何なる形態の仮設水道管路であってもこれを簡単且つ迅速に敷設（形成）することが出来、しかも用済み後には極く簡単に仮設水道管路を分解することが可能な接続具により連結、構成した仮設水道管路を提供する。【解決手段】対向せしめた両フランジＡ・Ａの外周面にリング状のパッキン材２９を介してその外方に挿着した二つ割り状の接続金具Ｃを縮径方向に締め込むことにより、両フランジＡ・Ａを引き寄せ方向に締込み固定し、全ての仮設水道管路ＷＬの各構成部材を順次気密状に且つ解離自在に連結する構成とする。【選択図】　　　図９
2004100774.tif 000002
【特許請求の範囲】
【請求項１】
ポリエチレン製パイプの両端に、端部に締付用フランジ（Ａ）を備えたポリエチレン製フランジ接続部（２１）を突き合せ融着（２２）して形成したポリエチレン製パイプ（ＰＰ）と、両端部に接続用のフランジ（Ａ）を形成したエルボ（Ｌ）と、各端部に締付用フランジ（Ａ）を備えたポリエチレン製分岐チーズ（Ｔ）と、両端に締付用フランジ（Ａ）を備えたポリエチレン製ティーズ本体（２６）のＴ型突出部の先端部外周面へ、ステンレス鋼製の分水アダプタ（２８）を嵌合固定して成る分水チーズ（ＴＷ）と、ステンレス鋼製可撓管の両端に、端部に締付用フランジ（Ａ）を備えたポリエチレン製フランジ接続部（２１）を嵌合固着して成るステンレス鋼製フレキシブル継手（ＦＬ）などの仮設水道管路（ＷＬ）を形成する各構成部材の前記各フランジ（Ａ）・（Ａ）同士を対向状に配設し、対向せしめた両フランジ（Ａ）・（Ａ）の外周面にリング状のパッキン材（２９）を介設してその外方に挿着した二つ割り状の接続金具（Ｃ）を縮径方向に締め込むことにより、前記両フランジ（Ａ）・（Ａ）を引き寄せ方向に締込み固定し、全ての前記仮設水道管路（ＷＬ）の各構成部材を前記接続金具（Ｃ）の締込みによりリング状のパッキン材（２９）を介して順次気密状に且つ解離自在に連結する構成としたことを特徴とする再利用可能な仮設水道管路。
【請求項２】
ポリエチレン製分岐チーズ（Ｔ）を、ポリエチレン製チーズ本体（２６）の各開口端に、端部に締付用フランジ（Ａ）を備えたポリエチレン製フランジ接続部（２１）を突き合せ融着して形成したポリエチレン製分岐チーズ（Ｔ）とするようにした請求項１に記載の再利用可能な仮設水道管路。
【請求項３】
分水チーズ（ＴＷ）を、ポリエチレン製チーズ本体（２６）の両端開口に、端部に締付用フランジ（Ａ）を備えたポリエチレン製フランジ接続部（２１）を夫々突き合せ融着して形成した分水チーズ（Ｔ）とするようにした請求項１に記載の再利用可能な仮設水道管路。
【請求項４】
リング状のパッキン材（２９）を内周面の中央部に細幅の凹溝（２９ａ）を備えたゴム又は合成ゴム製のパッキン材（２９）とし、対向せしめた両フランジ（Ａ）・（Ａ）の間に前記凹溝（２９ａ）の横幅にほぼ等しい間隙を置いて接続金具（Ｃ）により前記パッキン材（２９）の内周面を両フランジ（Ａ）・（Ａ）の外周面へ押圧接触させる構成とした請求項１に記載の再利用可能な仮設水道管路。
【請求項５】
リング状のパッキン材（２９）をゴム又は合成ゴム製の断面形状が台形状のパッキン材（２９）とし、当該パッキン材（２９）の内周面を接続金具（Ｃ）により接触状に対向せしめた両フランジ（Ａ）・（Ａ）の外周面へ押圧接触させる構成とした請求項１に記載の再利用可能な仮設水道管路。
【請求項６】
接続金具（Ｃ）を二個の半円形の締込片（Ｃ１　）・（Ｃ１　）から形成すると共に、各締込片（Ｃ１　）・（Ｃ２　）を断面形状がほぼ台形又は山形で、内側に台形状のパッキン挿入凹部（３３）を有し且つ内側面の両端縁にフランジ（Ａ）の外周部の側面に係合する段部（３４）を設けた構成とした請求項１に記載の再利用可能な仮設水道管路。
【発明の詳細な説明】
【０００１】
【発明の属する技術分野】
本発明は、上水道管路（以下水道管路と呼ぶ）の補修工事等の際に設けられる仮設水道管路の改良に関するものであり、更に詳しくは仮設水道管路を簡単且つ迅速に形成することが出来ると共に、仮設水道管路の形成に使用した各構成部材を、極く簡単な後処理を施すことにより繰り返し再利用可能な構成とし、環境負荷の低減やリサイクルの推進を通して環境型社会の建設に適応できるようにした再利用可能な仮設水道管路に関するものである。
【０００２】
【従来技術】
一般に、幹線を構成する水道管路の取替工事や補修工事に際しては、予かじめ所定の距離毎に工事区間を定め、当該工事区間に対してバイパス状に仮設水道管路を設けることにより、前記工事に伴なう断水を防止するようにしている。
【０００３】
而して、従前のこの種仮設水道管路は、一般に鋼管等の金属管や塩化ビニールパイプ（以下ＶＰと呼ぶ）を用いて敷設されている。
しかし、金属管を用いて仮設水道管路を敷設する場合には、配管資材の重量が大きいために運搬や搬入に手数が掛かるだけでなく、管路の敷設や用済み後の管路の解体撤去に相当の手数を要すると云う問題がある。
また、ＶＰを用いた場合には、上記金属管を用いた場合の難点は回避することが出来るものの、仮設水道管路の機械的強度の点に致命的な弱点があり、ＶＰ製仮設水道管路の敷設可能な区域や地域が極く限られることになる。
【０００４】
更に、従前の仮設水道管路の敷設に於いては、管路を構成する各部材の再利用については一切考慮が払われておらず、撤去後の仮設水道管路の構成部材は全てスクラップとして処分すると云うことが前提になっており、近年の環境型社会の形成に対する要請に応えると云う思想を全く欠いていると云う問題がある。
【０００５】
一方、上述の如き問題に対応するため、本件出願人は先きに特願２０００−３９３９８５号として、軽量で作業性が良いうえ、適宜の弾性と機械的強度を具備するために管に傷が付き難く、繰り返し再利用することが出来ると共にリサイクルによる資源の再活用性にも優れたポリエチレン樹脂製管を用いた仮設用水道管を開発し、これを公開している。
【０００６】
図１４は、上記特願２０００−３９３９８５号に於ける仮設用水道管の一例を示すものであり、適宜長さ（例えば１〜４ｍ）のポリエチレン樹脂製管本体（以下ＰＰ管本体と呼ぶ）１・１の両端部に管端接続部２を固定し、両ＰＰ管本体１・１の端部に固定した管端接続部２・２同士を対向させた状態で、接続具１０によりパッキン９を介設して両管端接続部２・２を圧接方向（引き寄せ方向）に締付固定することにより、順次ＰＰ管本体１を気密状に連結する構成となっている。
【０００７】
また、ＰＰ管本体１の両端に固定した管端接続部２は、ＰＰ製のソケット４と、ソケット４の前方開口内へ嵌挿した金属製のヘッド３とから形成されており、ソケット４とＰＰ管本体１とはエレクトロフュージョン接合７により、またヘッド３とソケット４とは、ソケット４の前方外周面へ挿着したカシメリング５を縮径方向にカシメ加工することにより、夫々気密状に固定されている。
【０００８】
尚、図１５に示すように、前記ヘッド３を端部の外周面に細溝６をリング状に形成したＰＰ管の短管とし、このＰＰ管から成るヘッド３を管端接続部２としてＰＰ管本体１の両端部へバットフージョン接合８により固着した構成のＰＰ管本体１も使用に供されている。
【０００９】
ところで、前記ＰＰ管本体１・１の管端接続部２・２同士の連結は、図１４に示すようにヘッド３の端部外周面に形成したリング状の細溝６内へ接続具１０の係止片先端１０ａを係合させ、パッキン９を介して二ツ割の接続具１０をボルトナット（図示省略）により縮径方向に締付けすることにより行なう。これにより、両管端接続部２・２は気密状に連結されると共に、ボルトナットを緩めることにより、両管端接続部２・２は解離される。
【００１０】
【発明が解決しようとする課題】
上記図１０及び図１１に示した仮設用水道管は、比較的軽量でＰＰ管本体１、１同士の連結も簡単に行なうことができ、優れた実用的効用を有するものである。
しかし、図１４及び図１５の仮設用水道管にも解決すべき多くの問題が残されており、その中でも、管端接続部２の構造の簡素化及び管端接続部２の機械的強度の向上等が早急に解決すべき問題点として残されている。
【００１１】
例えば、前記図１４の管端接続部２にあっては、接続部２の形成にソケット４、金属製ヘッド３及び金属製カシメリング５等の各部材を必要とするうえ、エレクトフュージョン７によるソケット４の固着加工と金属製カシメリング５のカシメ加工とを必要とし、管端接続部２の製作費が高騰すると云う問題がある。
【００１２】
また、前記図１５の管端接続部２にあっては、ＰＰ管の端部外表面に細溝６をリング状に形成する構成としているため、必然的に細溝６の底部の管壁厚さが薄くなり、この部分の機械的強度が低下すると云う問題がある。
更に、前記図１５の管端接続部２では、細溝６内へ接続具１０の係止片先端１０ａを係合させ、二つ割り状の接続具１０の本体を引締めて両係止片先端１０ａ・１０ａを縮径方向に押圧することにより、両管端接続部２・２の端面を接当方向に引き寄せする構成としている。そのため、接続具１０の引締時に細溝６の外端側のエッジ６ａが係止片先端１０ａによって圧壊される虞れがあり、万一前記外端側のエッジ６ａが圧壊されると、当該ＰＰ管本体１の再利用時に前記エッジ６ａの圧壊部分から水漏れを生ずることになる。
従って、前記エッジ６ａの圧壊部分を補修しない限り、当該ＰＰ管本体１は再利用に廻すことが出来なくなるが、細溝６の深さ寸法が管肉厚の点から極く浅く設定されているため、圧壊部分の補修は著しく困難となり、結果的にはＰＰ管本体１を破棄するか若しくはＰＰ製接続ヘッド３を切断除去してこれを破棄しなければならなくなり、ＰＰ管本体１の再利用率が低下すると云う問題がある。
【００１３】
加えて、前記図１４及び図１５の特願２０００−３９３９８５号に於いては、仮設水道管路の形成、即ち仮設用水道管を用いて仮設水道管路を敷設する際の各種の機器類の接続（例えば、既設水道管路に固定した接続用の専用金具とＰＰ管本体１との接続、止水栓の取付け、分水チーズの取付け、消火栓の取付け等）については一切考慮されていないため、仮設水道管路の敷設（配管路の形成）や用済み後のその解体を円滑に行なえないと云う問題がある。
【００１４】
本願発明は、前記特願２０００−３９３９８５号の仮設用水道管に於ける上述の如き問題、即ち▲１▼図１４の如き構成の管端接続部２では、その構造が複雑で製造コストの削減が困難なこと、▲２▼図１５の如き構成の管端接続部２では、細溝６の形成部分の機械的強度が低下すること、▲３▼接続具１０の締込みにより細溝６のエッジ６ａが圧壊され易く且つ細溝６の補修が困難なためにＰＰ管本体１の再利用率が低下すること、▲４▼既設水道管路への接続や止水栓、分水チーズ等の介設に手数がかかり、仮設水道管路の敷設及び使用後の仮設水道管路の撤去を迅速に行なえないこと等の問題を解決せんとするものであり、一種類の接続具を用いて如何なる形態の仮設水道管路であってもこれを簡単且つ迅速に敷設（形成）することが出来、しかも用済み後には極く簡単に仮設水道管路を分解することが可能で、そのうえ取り外しした殆んど全ての部材を再利用に供することが出来るようにした仮設水道管路を提供するものである。
【００１５】
【課題を解決するための手段】
請求項１の発明は、ポリエチレン製パイプの両端に、端部に締付用フランジＡを備えたポリエチレン製フランジ接続部２１を突き合せ融着２２して形成したポリエチレン製パイプＰＰと、両端部に接続用のフランジＡを形成したエルボＬと、各端部に締付用フランジＡを備えたポリエチレン製分岐チーズＴと、両端に締付用フランジＡを備えたポリエチレン製チーズ本体２６のＴ型突出部の先端部外周面へ、ステンレス鋼製の分水アダプタ２８を嵌合固定して成る分水チーズＴＷと、ステンレス鋼製可撓管の両端に、端部に締付用フランジＡを備えたポリエチレン製フランジ接続部２１を嵌合固着して成るステンレス鋼製フレキシブル継手ＦＬなどの仮設水道管路ＷＬを形成する各構成部材の前記各フランジＡ・Ａ同士を対向状に配設し、対向せしめた両フランジＡ・Ａの外周面にリング状のパッキン材２９を介設してその外方に挿着した二つ割り状の接続金具Ｃを縮径方向に締め込むことにより、前記両フランジＡ・Ａを引き寄せ方向に締込み固定し、全ての前記仮設水道管路ＷＬの各構成部材を前記接続金具Ｃの締込みによりリング状のパッキン材２９を介して順次気密状に且つ解離自在に連結する構成としたことを発明の基本構成とするものである。
【００１６】
請求項２の発明は、請求項１の発明に於いて、ポリエチレン製分岐チーズＴを、ポリエチレン製チーズ本体２６の各開口両端に、端部に締付用フランジＡを備えたポリエチレン製フランジ接続部２１を突き合せ融着して形成したポリエチレン製分岐チーズＴとするようにしたものである。
【００１７】
請求項３の発明は、請求項１の発明に於いて、分水チーズＴＷを、ポリエチレン製ティーズ本体２６の両端開口に、端部に締付用フランジＡを備えたポリエチレン製フランジ接続部２１を夫々突き合せ融着して形成した分水チーズＴとするようにしたものである。
【００１８】
請求項４の発明は、請求項１の発明に於いて、リング状のパッキン材２９を内周面の中央部に細幅の凹溝２９ａを備えたゴム又は合成ゴム製のパッキン材２９とし、対向せしめた両フランジＡ・Ａの間に前記凹溝２９ａの横幅にほぼ等しい間隙を置いて接続金具Ｃにより前記パッキン材２９の内周面を両フランジＡ・Ａの外周面へ押圧接触させる構成としたものである。
【００１９】
請求項５の発明は、請求項１の発明に於いて、リング状のパッキン材２９をゴム又は合成ゴム製の断面形状が台形状のパッキン材２９とし、当該パッキン材２９の内周面を接続金具Ｃにより接触状に対向せしめた両フランジＡ・Ａの外周面へ押圧接触させる構成としたものである。
【００２０】
請求項６の発明は、請求項１の発明に於いて、接続金具Ｃを二個の半円形の締込片Ｃ１　・Ｃ１　から形成すると共に、各締込片Ｃ１　・Ｃ２　を断面形状がほぼ台形又は山形で、内側に台形状のパッキン挿入凹部３３を有し且つ内側面の両端縁にフランジＡの外周部の側面に係合する段部３４を設けた構成としたものである。
【００２１】
【発明の実施の形態】
以下、図面に基づいて本発明の実施形態を説明する。
図１は、本発明の実施に係る仮設水道管路ＷＬの一例を示すものであり、一般に仮設配管割図と呼称されているものである。
【００２２】
図１に於いて、ＭＰＬは鋳鉄管を用いた既設の水道主管路、ＶＰＬはビニール管を用いた既設の水道主管路、ＰＰＬはポリエチレン管を用いた既設の水道主管路、ＰＲＬは石綿管を用いた既設水道主管であり、本実施例では鋳鉄管製既設水道主管ＭＰＬ、ＭＰＬ間に仮設水道管路ＷＬをバイパス状に形成し、その中途より分岐した仮設水道管路ＷＬ１　をビニール管製既設水道主管ＶＰＬへ接続する構成としている。
尚、仮設水道管路ＷＬが接続される既設水道主管には、図１中に示されているように、ポリエチレン管を用いた既設水道主管ＰＰＬや石綿管を用いた既設水道主管ＰＲＬが、前記鋳鉄管製やビニール管製の既設水道主管ＭＰＬ、ＶＰＬの他に存続する。
【００２３】
また、図１に於いて、１１は不断水割Ｔ字管、１２はＶＳジョイント、１３はＶＣジョイント、１４はＶＡジョイントと呼ばれる各既設水道主管ＭＰＬ、ＶＰＬ、ＰＲＬとの専用の接続金具であり、これ等の接続用金具１１・１２・１３・１４は公知であるため、ここではその説明を省略する。
【００２４】
尚、前記仮設水道管路ＷＬと前記不断水割Ｔ字管１１の止水弁Ｖ１　との接続には、本発明に係るフランジ短管１５が、また、仮設水道管路ＷＬと前記ＶＳジョイント１２又はＶＡジョイント１４若しくはＶＣジョイント１３との接続にはプレエンド１６が、更に、仮設水道管路ＷＬとポリエチレン管製既設水道主管ＰＰＬとの接続にはＰＰオネジ付ソケット１７と異径ソケット１８とオネジ短管１９とが夫々使用されることになり、これ等の各部材については順次説明を加えるものとする。
【００２５】
更に、図１に於いて、ＰＰはポリエチレン製パイプ、Ｌ１　は９０°エルボ、Ｌ２　は４５°エルボ、ＦＬは金属製のフレキシブル継手、Ｖは止水弁、ＴＷは分水チーズ、Ｔは分岐チーズ、Ｃは接続用金具であり、後述する如く接続用金具Ｃ以外の各部材の両端部の外周面には、細幅の締付用フランジＡが必ず形成されており、相互に接続する両部材の両端に形成した前記締付用フランジＡ・Ａ同士を突き合せ状に対向又は接当させ、二つ割状の接続用金具Ｃにより、対向又は接当せしめた両締付用フランジＡ・Ａの外周面へ挿着したリング状のパッキン材２９を介して両フランジＡ・Ａの外周面を縮径方向に締付けすることにより、前記両フランジＡ・Ａを引き寄せ固定し、これによって各部材を順次気密状に接続して行く構成となっている。
【００２６】
図２は、本発明で使用するポリエチレン製パイプＰＰの一部を断面した正面図であり、ポリエチレン管（以下ＰＰと呼ぶ）は、ＰＰ管本体２０とその両端に突き合せ溶着（バッドフュージョン）２２により固定したフランジ接続部２１とから形成されており、呼ひ径５０Ａ〜２００Ａ、長さ２００〜４０００ｍｍのものが予かじめ規格品として形成されている。
尚、ポリエチレン製パイプそのものの機械的特性や物理・化学的特性は周知であるため、ここではその説明を省略する。
図２を参照して、前記フランジ接続部２１はＰＰ管本体２０よりも若干肉厚に形成されており、その両端部には細幅状の締付用フランジＡが形成されている。
【００２７】
前記ＰＰ管本体２０とフランジ接続部２１との突き合せ溶着部２２の融着条件は、パイプサイズが７５〜１００Ａの場合、ヒーター温度は２２３℃、パイプのヒーターへの押し圧（パイプ先端の溶解時）は約２０ｂａｒ、パイプのヒーターへの押し時間は約３６秒、融着時間は約１２４秒、融着圧は約１３ｂａｒ、冷却時間は約９分、冷却時の押し圧は約２０ｂａｒに夫々設定されており、上記融着条件で溶着部２２を形成した場合、融着部の引張降伏強さ（Ｆ／Ｄ）は２３１ｋｇｆ／ｃｍ２　であった。
【００２８】
尚、供試試料のＰＰ管はφ＝７５ｍｍのＰＰ管（ＪＩＳ規格）であり、φ＝８９．０ｍｍ×ｔ＝８．１ｍｍ、断面積２０．５８ｃｍ２　であって、且つ融着部の断面積Ｄは０．８１ｃｍ２　、最大荷重Ｆは１８７．９ｋｇｆであった。従って、引張り降伏強さ（Ｆ／Ｄ）は、前述の通り２３１ｋｇｆ／ｃｍ２　となる。
ちなみに、同じφ＝７５ｍｍのＪＩＳＰＰ管に於けるＰＰ管自体の引張降伏強さ（Ｆ／Ｄ）は２３０ｋｇｆ／ｃｍ２　以上と規定されており、本発明に係るＰＰ管の溶着部２２の引張降伏強さ（Ｆ／Ｄ）は、ＰＰ管のパイプ本体そのものよりも大であることが確認されている。
【００２９】
図３は、本発明で使用する前記プレエンド１６の一部を断面した正面図であり、ポリエチレン製のフランジ接続部２１にステンレス鋼製のアダプタ２３を接着したものである。
尚、フランジ接続部２１の端部には締付用フランジＡが形成されており、当該締付用フランジの各部寸法が、前記ＰＰ管本体２０のフランジ接続部２１の締付用フランジＡと同一であることは勿論である。
【００３０】
図４は、ＰＰ管製ソケットＳの一部を断面した正面図であり、また、図５は前記オスネジ短管１９の一部を断面した正面図である。
当該オスネジ短管１９はフランジ接続部２１とステンレス鋼製のアダプター２４とを接着することにより形成されており、アダプター２４の先端側にはテーパネジ２５が設けられている。
【００３１】
図６は、前記分岐チーズＴの正面図を示すものであり、ＰＰ製チーズ本体２６の各開口端にフランジ接続部２１を形成する前記図４のソケット部材をバットフュージョン方式により溶着したものである。
尚、図６に於いては、ＰＰ製チーズ本体２６にフランジ接続部２１を溶着することにより分岐チーズＴを形成しているが、ＰＰ製チーズ本体２６の成型時に締付用フランジＡをこれと一体的に形成するようにしてもよいことは勿論である。
【００３２】
図７は前記分水チーズＴＷの一部を断面した正面図であり、ＰＰ製のチーズ本体２６の両端にフランジ接続部２１を形成する前記図４のソケット部材Ｓがバッドフュージョン方式により溶着２２されており、Ｏリング２７を介してステンレス鋼製の分水アダプター２８がＴ型突出部の先端外側部へ嵌合されている。尚、当該分水チーズＴＷは、引込み用の給水管を分岐するために用いるものである。
【００３３】
図８は前記ステンレス鋼製フレキシブル継手ＦＬの一部を断面した正面図であり、前記図５のオスネジ短管１９の場合と同様に、フランジ接続部２１にステンレス鋼製フレキシブル管３５の端部に固定したソケット部を挿着し、両者を堅固に接着することにより当該フレキシブル継手ＦＬが形成されている。
【００３４】
図９は、本発明に係る仮設水道管路を構成する各部材の接続部を示す断面図である。各部材の連結に際しては、各部材のフランジ接続部２１の締付用フランジＡの端面同士を対向させ、断面形状が台形状で且つリング状に形成されたゴムパッキン材２９を両フランジＡ・Ａの外周面へ介設したうえ、二つ割状の接続用金具Ｃを図示の如くゴムパッキンの外周面へ挿着し、その両端部を後述するようにボルトナットにより縮径方向へ締付けすることにより、締付用フランジＡを引寄せると共にゴムパッキン材２９の内周面をフランジＡ・Ａの外周面へ圧接させ、両者を堅固に且つ気密状に連結固定する。
【００３５】
図１０及び図１１は、前記接続用金具Ｃの斜面図を示すものであり、当該接続用金具Ｃは二つ割り状の二個の締込片Ｃ１　、Ｃ１　の一端側を回動自在に軸支３０すると共に、一方の締込片Ｃ１　の他端側にボルトの受け溝３１を、また、他方の締込片Ｃ１　の他端に締込みボルト３２を回動自在に軸支し、締込ナット３３を締込むことにより、ゴムパッキン材２９を介して両フランジＡ、Ａを圧接方向に引き寄せするものである。
尚、前記締込片Ｃ１　、Ｃ２　は、図９に示すように断面形状が台形又は山形に形成されており、その内側面（下方部）にはゴムパッキン材２９を受け入れするための断面が台形状のパッキン挿入凹部３３が形成されると共に、パッキン挿入凹部３３の内周面の両端部には、フランジＡ・Ａの外側面に係合する段部３４が形成されている。
また、前記リング状のゴムパッキン材２９は断面が台形状に形成されており、その下面側には細幅の凹溝２９ａがリング状に形成されている。
更に、本実施形態ではパッキン材２９をゴム製としているが、当該パッキン材２９はテフロン等の合成樹脂製であっても、或いは所謂人造ゴムであってもよい。
【００３６】
当該接続用金具Ｃによる接続部の引張り強度試験によれば、フランジ接続部の抜け出し荷重（最大荷重）は１８８５ｋｇｆ（φ＝５０ｍｍＰＰ管）及び２９８５０ｋｇｆ（φ＝７５ｍｍＰＰ管）であった。
ちなみに、ＪＩＳ規格に於けるφ＝７５ｍｍのＰＰ管（φ＝８９．０×ｔ８．１、断面積＝２０．５８ｃｍ２　）の引張り降伏強さは２２４ｋｇｆ／ｃｍ２　以上（即ち２２４×２０．５８＝４６０９ｋｇｆ以上）であるから、本発明に於ける接続部の引張り強度（抜け出し荷重）２９８５０ｋｇｆは、当該接続部が十分な引張り強度を有することを示すものである。
【００３７】
前記図９の実施形態に於いては、内周面に細幅の凹溝２９ａを備えたパッキン材２９を用い、両フランジＡ・Ａを凹溝２９ａの幅に相当する間隙を置いて対向状に締付け固定する構成としているが、図１２に示すように凹溝２９ａを設けないパッキン材２９を用い、両フランジＡ・Ａを接当された状態で接続金具Ｃを縮径方向に締込みし、両フランジＡ・Ａ及びゴムパッキン材２９を一体的に締込み固着するようにしてもよい。
【００３８】
また、前記図９の実施形態に於いては、対向せしめたフランジＡ・Ａの外方をそのまま接続用金具Ｃにより縮径方向に締込みするようにしているが、図１３に示すようにフランジ接続部２１の端部内周面に予かじめステンレス鋼製のスリーブ金具Ａ′を挿着しておき、当該スリーブ金具Ａ′によってフランジ接続部２１の縮径方向の締込応力に対する機械的強度を補強する構成とすることも可能である。
【００３９】
【発明の効果】
本発明に於いては、仮設水道管路をポリエチレン製のパイプや、エルボ、分岐チーズ、分水チーズ等を用いて形成すると共に、前記ポリエチレン製パイプやエルボ、チーズ等の各構成部材の両端部には締付用フランジＡを端部に一体的に形成したフランジ接続部を設け、更に前記ポリエチレン製パイプはポリエチレン製パイプの両端部にフランジ接続部を突き合せ融着して形成したポリエチレン製パイプとし、前記各構成部材のフランジ接続部を対向せしめると共に、対向せしめたフランジの外周部に二つ割状の接続用金具を挿着し、フランジ外周面に配設したパッキン材を介して接続金具Ｃを締込むことにより、前記対向せしめた両フランジＡ、Ａを引寄せ方向に押圧固定することにより、各構成部材を順次気密状に接続する構成としている。
【００４０】
その結果、対向せしめた接続用フランジＡ・Ａの外周面に挿着した接続金具Ｃを締込むだけで全ての構成部材を簡単且つ迅速に連結することが出来、仮設水道管路を高能率で安価に敷設することが出来る。
【００４１】
また、本発明に於いては、ＰＰ管及び分水チーズ等をＰＰ管本体及びＰＰ製チーズ本体の両端に、接続用フランジＡを一端に有するフランジ接続部を突き合せ融着することにより形成しているため、仮設水道管路を形成する主要部材を極く安価に製造することができ、仮設水道管路の敷設費の大幅な削減を図ることが出来る。
【００４２】
更に、仮設水道管路を形成する各構成部材の全接続部は、接続金具Ｃの締付用ボルトナットを緩めるだけで簡単に解離することができ、用済み後の仮設水道管路の取り外しが容易に出来ると共に、取り外し時に各構成部材が損傷することも殆んど無く、その結果、ＰＰパイプを始めとする各構成部材の再利用率が大幅に向上し、所謂循環型社会の実現に向けて大きな貢献をすることが出来る。
【００４３】
加えて、ＰＰ管は軽量であるため運搬その他のコスト減が図れると共に、突き合せ融着部の機械的強度等が十分であることも試験によって確認されており、本発明は仮設水道管路の設備コストの引下げ及び循環型社会の実現への貢献等の点で優れて高い実用的効用を奏するものである。
【図面の簡単な説明】
【図１】仮設水道管路ＷＬの一例を示す配管割図である。
【図２】ポリエチレン製パイプＰＰの一部を断面した正面図である。
【図３】プレエンド１６の一部を断面した正面図である。
【図４】ＰＰ管製ソケットの一部を断面した正面図である。
【図５】オスネジ短管１９の一部を断面した正面図である。
【図６】分岐チーズＴの正面図である。
【図７】分水チーズＴＷの一部を断面した正面図である。
【図８】ステンレス鋼製フレキシブル継手の一部を断面した正面図である。
【図９】仮設水道管路を構成する各部材のフランジ接続部２１同士の連結部の断面図である。
【図１０】接続用金具Ｃの斜面図である。
【図１１】接続用金具Ｃの挿着前の斜面図である。
【図１２】接続用金具Ｃによるフランジ接続部２１同士の連結部の第２例を示す断面図である。
【図１３】接続用金具Ｃによるフランジ接続部２１同士の連結部の第３例を示す断面図である。
【図１４】従前の仮設用水道管の接続部を示す断面図である。
【図１５】従前の仮設用水道管の接続部の他の例を示す断面図である。
【符号の説明】
ＷＬは仮設水道管路、ＭＰＬは鋳鉄管製の既設水道主管、ＶＰＬはビニール管製の既設水道主管、ＰＰＬはポリエチレン管製の既設水道主管、ＰＲＬは石綿管製の既設水道主管、１１は不断水割Ｔ字管、Ｖ１　は止水弁、１２はＶＳジョイント、１３はＶＣジョイント、１４はＶＡジョイント、１５はフランジ短管、１６はプレエンド、１７はＰＰオネジ付ソケット、１８は異径ソケット、１９はオスネジ短管、ＰＰはポリエチレン製パイプ、Ｌ１　は９０°エルボ、Ｌ２　は４５°エネボ、ＦＬは金属製フレキシブル継手、Ｖは止水弁、ＴＷは分水チーズ、Ｔは分岐チーズ、Ｃは接続用金具、Ａは締付用フランジ、Ｈは消火栓、ＳはＰＰ製ソケット、２０はＰＰ管本体、２１はフランジ接続部、Ａは締付用フランジ、２２は突き合せ溶着部、２３はプレエンドのアダプター、２４はオスネジ短管のアダプター、２５はテーパネジ、２６はＰＰ製チーズ本体、２７はＯリング、２８は分水用アダプター、２９はパッキン材、３０は軸支、３１はボルト受け溝、３２は締込ボルト、３３は締込ナット、３５はステンレス鋼製フレキシブル管。
【図１】
2004100774.tif 000003
【図２】
2004100774.tif 000004
【図３】
2004100774.tif 000005
【図４】
2004100774.tif 000006
【図５】
2004100774.tif 000007
【図６】
2004100774.tif 000008
【図７】
2004100774.tif 000009
【図８】
2004100774.tif 000010
【図９】
2004100774.tif 000011
【図１０】
2004100774.tif 000012
【図１１】
2004100774.tif 000013
【図１２】
2004100774.tif 000014
【図１３】
2004100774.tif 000015
【図１４】
2004100774.tif 000016
【図１５】
2004100774.tif 000017